(57)【特許請求の範囲】
【請求項１】
２本の撚り電線（７、８）を各々が含み、前記電線（７、８）の各々が、端子（２３、２４）に接続される複数のツイストペアケーブル（６）と、
前記複数のツイストペアケーブル（６）のうちの一つの前記端子（２３、２４）を収容する２つのキャビティ（１７、１８）を各々が有する、複数のキャビティブロック（９）と、
複数の前記キャビティブロック（９）を収容する収容室（１０）を有するハウジング（３）とを含むコネクタ（１）において、
前記収容室（１０）は、前記キャビティブロック（９）の挿入方向が、前記コネクタ（１）を相手コネクタ（２）と嵌合する嵌合方向（Ｍ）に対して横断方向となるように形成され、
前記ハウジング（３）が、前記キャビティブロック（９）を案内する案内手段（２８、２９）を含み、
前記案内手段が、前記ハウジング（３）の側壁（１３、１５）の内側に少なくとも１つの案内ウェブ（２８、２９）を含み、
前記キャビティブロック（９）が、前記キャビティブロック（９）を前記少なくとも１つの案内ウェブ（２８、２９）上で摺動させる案内凹部（３２）を含み、
前記案内ウェブ（２８、２９）が、前記端子（２３、２４）を前記キャビティブロック（９）内に係止することを特徴とするコネクタ（１）。
【請求項２】
前記キャビティブロック（９）が、前記収容室（１０）内で互いに当接して並んで保持されることを特徴とする請求項１に記載のコネクタ（１）。
【請求項３】
各前記案内ウェブ（２８、２９）が、アンダカット（３１）を画定し、かつ前記案内凹部（３２）が、前記キャビティブロック（９）を前記案内ウェブ（２８、２９）上に係止するとともに挿入方向（Ｉ）に摺動自在とする相補的アンダカット（３４）を備えて設計されることを特徴とする請求項１又は２に記載のコネクタ（１）。
【発明の詳細な説明】
【技術分野】
【０００１】
本発明は、ツイストペアケーブルを有するコネクタ、及びツイストペアケーブルを有するコネクタを組み立てる方法に関する。
【背景技術】
【０００２】
電磁波妨害信号に関する電線の導体の感度を減少させるために、対の電線を撚ることは周知である。電線の撚った区域と、電線に接続されるコネクタとの間の電線の移行領域において、電線は、撚りを解かれる。電線のこの撚りを解かれた領域は、各電線端部が端子に接続され、かつ端子がコネクタのハウジングに挿入されねばならないので、必要である。電線の撚りを解かれた領域は、電線端部をハウジングに挿入する間、電線端部の容易な取り扱いをもたらす。撚りを解かれた電線の領域は、概して２センチメートルを超える長さを有する。撚りを解かれた電線のこの区域において、電磁波妨害信号が、電線の導体に放射され得る。更には、この区域において、電線のインピーダンスが、著しく増加する。両方ともツイストペアケーブルを経由する最大データ伝送レートの制約を引き起こす。
【０００３】
先行技術において、電線は、グリッパが電線端部に接続される端子の後方で電線を把持する撚線機によって撚られる。端子のコネクタハウジングへの挿入を容易にするために、電線端部は、概して少なくとも２センチメートルの領域において撚りを解かれた状態に留まる。
【発明の概要】
【発明が解決しようとする課題】
【０００４】
本発明の目的は、複数のツイストペアケーブルを有し、かつ高いデータ転送レート容量を有するコネクタを提供することである。更に、本発明の目的は、かかるコネクタを組み立てる方法を提供することである。
【課題を解決するための手段】
【０００５】
目的は、項目１に記載のコネクタ、及び項目１５に記載の方法によって解決される。好ましい実施態様が、従属下位項目に記載される。
【０００６】
本発明によれば、ツイストペアケーブルの端子は、コネクタハウジングのキャビティに直接挿入されない。各ツイストペアケーブルの端子は、コネクタのハウジングから分離したキャビティブロックのキャビティに挿入される。各ツイストペアケーブルのキャビティブロックは、次にコネクタのハウジングの収容室に挿入される。各キャビティブロックは、端子用に２つのキャビティを有し、かつ電線が未だ撚りが解かれている時に、各対の電線の端子を挿入できるようにする。電線の端子を挿入した後、キャビティブロックは、対の電線をツイストペアケーブルに撚るために、回転させることができる。電線が撚られた後、端子が、コネクタのキャビティに挿入される必要がないので、ツイストペアケーブルの電線の撚りを解かれた領域の長さを減少させることが可能である。それ故に、電線の導体は、電磁波妨害信号に対して遙かに感度が低い。多数の用途にわたって、ケーブルの遮蔽は、必要でない。
【０００７】
キャビティブロックの収容室を有するハウジングの設計は、ハウジングが、撚りを解かれた電線のような更なる電線の端子のための更なるキャビティを有することを排除しない。
【０００８】
コネクタは、ハウジングが、可変数の同一キャビティブロックを収容する大きさの異なる収容室を有するハウジング群から選択される、モジュラシステムの一部であっても良い。同一キャビティブロックは、特別に設計されたキャビティブロックを備える必要性なしに、可変数の極を有するコネクタが備えられるように、異なるハウジングに挿入できる。従って、キャビティブロックを有する同じツイストペアケーブルを使用して、異なる数の極を有する可変規模のコネクタを組み立てることが可能である。
【０００９】
キャビティブロックは、コネクタを相手コネクタと嵌合する嵌合方向に対して横断方向である挿入方向で収容室に挿入される。概して、先行技術による周知のコネクタにおいて、端子は、コネクタハウジングのキャビティに嵌合方向で挿入される。本発明によるコネクタのキャビティブロックをコネクタの嵌合方向に挿入することは、各個別のキャビティブロックをハウジング内に係止することを必要になりえる。このことは、キャビティブロックをコネクタの嵌合方向に対して横断方向である挿入方向に挿入することによって回避できる。キャビティブロックは、キャビティブロックが、嵌合方向で収容室から引き出され得ないように収容室を設計することによって、収容室内に保持できる。
【００１０】
キャビティブロックは、ハウジングの共通の開口部を介して収容室に挿入される。
キャビティブロックは、収容室内で互いに当接して並んで保持される。キャビティブロックの間に壁を備えることは、必要でない。キャビティブロック並びに収容室は、単純な設計を有する。
【００１１】
好ましくは、ハウジングは、キャビティブロックを収容室に挿入されている間に案内する案内手段を含む。案内手段は、ハウジングの側壁の内側に少なくとも１つの案内ウェブを含み得る。キャビティブロックは、次に各キャビティブロックを少なくとも１つの案内ウェブ上で摺動させる案内凹部を含む。案内ウェブは、キャビティブロックのレールとして役立つ。
【００１２】
案内手段は、各々が、ハウジングの側壁の内側に配設される２つの案内ウェブを含むことが可能であり、２つの案内ウェブは、互いに対向して配設できる。それ故に、収容室内の２列のキャビティブロックが可能である。
【００１３】
好ましくは、案内ウェブは、アンダカットを画定し、かつ案内凹部は、キャビティブロックを、案内ウェブ上で挿入方向に摺動自在とする一方、案内ウェブに係止する相補的アンダカットを備えて設計される。それ故に、キャビティブロックは、案内ウェブに挿入方向で切り取られ得る。しかしながら、キャビティブロックは、挿入方向に対して横断方向で案内ウェブに係止される。
その上、案内ウェブ及びキャビティブロック並びに端子は、案内ウェブが、端子をキャビティブロック内に係止し、かつ二次係止として役立つように設計できる。ハウジングは、キャビティブロックをハウジングのその収容室内に保持する保持手段を含む。好ましくは、保持手段は、最後に挿入されたキャビティブロックをその収容室内に保持するために、キャビティブロックに対して支持された突起を含む。突起は、最後のキャビティブロックが収容室内に完全に挿入される時に跳ね返る弾性柔軟アームの一部であっても良い。
【００１４】
上記のいずれかに記載のコネクタを組み立てる方法であって、
複数対の電線を備えるステップと、
各電線を端子に接続するステップと、
各対の電線につき、１つのキャビティブロックを備えるステップと、
各対の電線の端子をそれぞれのキャビティブロックに挿入し、かつその後にツイストペアケーブルを形成する各対の電線の該電線を撚るステップと、
各ツイストペアケーブルのキャビティブロックをハウジングの収容室に挿入するステップとを含む。
好ましくは、各対の電線の該電線を撚るために、各キャビティブロックを、電線に対して回転させる。
【００１５】
本発明の好ましい実施態様は、図面を参照して更に詳細に記載される。
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、ツイストペアケーブル及び相手コネクタを有する複数のキャビティブロックを有するコネクタの斜視図である。
【図２】図２は、２本の撚りを解かれた電線がキャビティブロックのキャビティに挿入される、図１によるキャビティブロックの斜視図である。
【図３】図３は、挿入された電線がツイストペアケーブルに撚られた、図２によるキャビティブロックの斜視図である。
【図４】図４は、キャビティブロックのコネクタハウジングへの挿入を例示する、図１によるコネクタの斜視図である。
【図５】図５は、キャビティブロックのコネクタのハウジングへの挿入を例示する、コネクタの第２の実施態様の斜視図である。
【図６】図６は、挿入されたキャビティブロック及び相手コネクタの第２の実施態様を有する、図５によるコネクタの斜視図である。
【発明を実施するための形態】
【００１７】
図１は、嵌合方向Ｍで相手コネクタ２と嵌合されるコネクタ１を開示する。コネクタ１は、コネクタ１を相手コネクタ２と嵌合するために、相手コネクタ２の容器４に挿入できるハウジング３を有する。ハウジング３は、コネクタ１を相手コネクタ２内に周知の方法で係止するために、相手コネクタ２の容器４内の係止突起（図示せず）と係合する弾性柔軟係止アーム５を含む。あるいは、当業者に周知の他の係止機構が、使用できる。
【００１８】
コネクタ１は、複数の、開示された実施態様においては６つのツイストペアケーブル６を含む。各ツイストペアケーブル６は、撚られた一対の電線７、８を有する。各電線７、８は、端子（図示せず）に接続される電線端部を有する。端子は、相手コネクタ２の相手端子１２に接続される。開示された実施態様において、電線７、８の端部の端子は、雌端子であり、かつ相手コネクタ２の相手端子１２は、雄端子である。このことは、当然に逆であっても良い。
【００１９】
各ツイストペアケーブル６の電線７、８の各端子は、キャビティブロック９に挿入され、各ツイストペアケーブル６に関して、１つのキャビティブロック９が備えられる。全てのキャビティブロック９は、ハウジング３の収容室１０に開口部１１を介して挿入方向Ｉで挿入される。ハウジング３は、第１側壁１３と、第２側壁１４と、第３側壁１５とを含む。側壁１３、１４、１５は、嵌合方向Ｍに実質的に平行である。第１側壁１３及び第３側壁１５は、第２側壁１４によって接続され、互いに平行であり、第２側壁１４は、第１側壁１３及び第３側壁１５に垂直である。側壁１３、１４、１５は、収容室１０を画定する。第２側壁１４に対向して、キャビティブロック９を収容室１０に挿入する開口部１１が備えられる。
相手コネクタ２に向かう方向に、ハウジング３は、底壁１６を含む。
【００２０】
図２及び図３は、図１による全てのキャビティブロック及び電線の代表として、電線７、８を有する１つのキャビティブロック９を開示する。図２は、キャビティブロック９の組み立てを例示し、かつ図３は、完全に組み立てられたキャビティブロック９を例示する。図２及び図３を、一緒に説明する。
【００２１】
電線７、８は、各々が、電気信号を伝送する導体２１を含む。導体２１は、電気絶縁体２２によって被覆される。各電線７、８は、端子２３、２４に接続される電線端部１９、２０を有する。電線端部１９、２０で、絶縁体２２は、導体２１から取り除かれる。電線端部１９、２０は、各々が圧着接続２５を介して端子２３、２４に接続され、圧着接続２５は、導電性端子２３、２４と、導体２１との間に電気接点を備える。電線７、８は、自動車のネットワーク等のようなコンピュータネットワークにデータを伝送するネットワークの一部であっても良い。
【００２２】
キャビティブロック９は、長手方向軸Ｌの方向に実質的に伸長し、かつ長手方向軸Ｌに平行に伸長する２つのキャビティ１７、１８を含む。端子２３、２４の各々は、長手方向軸Ｌに平行な方向でキャビティ１７、１８の一方に挿入される。端子２３、２４及びキャビティブロック９は、先行技術において周知なように、キャビティ１７、１８内に一次係止を備える、係止機能を含む。端子２３、２４は、電線のみがキャビティ１７、１８から突き出るように、キャビティ１７、１８内に完全に受容される。しかしながら、端子２３、２４は、端子２３、２４が、キャビティ１７、１８から部分的に突き出るようにも配設できる。端子２３、２４は、キャビティブロック９の後側からキャビティ１７、１８に挿入される。後側に対向する前側で、キャビティブロック９は、当業者によって周知なように、キャビティブロック９に通じる貫通孔（図示せず）を含む。コネクタ１を相手コネクタ２に嵌合する時、相手コネクタ２の雄端子１２は、キャビティ９内の雌端子２３、２４と電気接触するために、貫通孔を通過できる。
【００２３】
端子２３、２４をキャビティ１７、１８に挿入する時、電線７、８は、撚りを解かれ、すなわち電線７、８は、実質的に真っ直ぐである。端子２３、２４が、キャビティ１７、１８に挿入された後、電線７、８は、一緒に撚られてツイストペアケーブル６を形成する。電線７、８を撚るために、キャビティブロック９は、撚線機のグリッパに挿入される。端子２３、２４を担持するケーブル端部１９、２０に対向するケーブル端部は、撚線機の更なるグリッパに同様に固定される。この段階で、電線７、８は、真っ直ぐに、かつ互いに平行に保持される。次に、グリッパの少なくとも一方は、電線７、８が一緒に、互いに撚られるように長手方向軸Ｌの周りを回転する。結果として電線７、８は、図３に示すように、撚られて、ツイストペアケーブル６を形成する。グリッパは、キャビティブロック９及び対の電線７、８の移行領域を把持する。グリッパが、移行領域２６において電線７、８を把持するので、電線７、８は、移行領域２６において撚りを解かれた状態に留まる。移行領域の後に、電線７、８が互いに撚られた、撚り領域２７がある。端子２３、２４が、電線７、８を撚る前にキャビティ１７、１８に挿入されたので、撚りを解かれた電線７、８を有する長い移行領域２７を備えることは、必要でない。電線７、８及び端子２３、２４は、撚りの後に端子２３、２４をキャビティブロック９のキャビティ１７、１８に挿入するために、処理される必要がない。それ故に、移行領域２６は、インピーダンス増加を回避するために、できるだけ短く保つことができる。
【００２４】
図４は、キャビティブロック９のハウジング３の収容室１０への挿入を例示する。キャビティブロック９は、開口部１１を介して収容室１０に挿入方向Ｉで挿入される。図４による実施態様において、２列の３つのキャビティブロック９が備えられる。第１列は、第１側壁１３の内側に当接して配設され、かつ第２列は、第３側壁１５の内側に当接している。更に、隣接したキャビティブロック９は、互いに当接する。図４において、キャビティブロック９の第１列が、完全に挿入され、かつキャビティブロック９の第２列が、部分的に挿入されていることが見られる。この状態で、収容室１０にすでに挿入されたキャビティブロック９が、挿入されるキャビティブロック９と衝突して、収容室１０内を自由に移動することを回避するために、キャビティブロック９並びにハウジング３の第１側壁１３及び第３側壁１５には、案内手段が備えられる。第１側壁１３の内側に、第１側壁１３の全長の周りで挿入方向Ｉに沿って伸長する第１案内ウェブ２８又はリブがある。第１案内ウェブ２８は、第１側壁１３の内側から突き出て、かつフック部３０を有する。フック部３０は、第１側壁１３の全長に沿って同様に伸長し、かつアンダカット３１を形成する。第３側壁１５は、第１案内ウェブ２８に対向して第１案内ウェブ２８と同一に形成される第２案内ウェブ２９を備える。
【００２５】
キャビティブロック９は、各々が案内凹部３２を有する。前記案内凹部３２により、キャビティブロック９は、キャビティブロック９が、それぞれの案内ウェブ２８、２９に沿って挿入方向Ｉで移動できるように、案内ウェブ２８、２９の一方に摺動される。案内凹部３２は、案内ウェブ２８、２９のアンダカットと相補的なアンダカット３４を形成するショルダ３３を有する。案内ウェブ２８、２９の一方に配設されるキャビティブロック９は、キャビティブロック９が、挿入方向Ｉに対して横断方向で、案内ウェブ２８、２９から取り外せないように、それぞれの案内ウェブ２８、２９のフック部３０に対してショルダ３３によって支持される。案内ウェブ２８、２９上で、キャビティブロック９は、挿入方向Ｉで、又はそれと反対方向で案内ウェブ２８、２９に沿って移動できるだけである。
【００２６】
第１側壁１３及び第３側壁１５は、各々が、それぞれ第１側壁１３及び第３側壁１５内のスロット３９、３９’によって画定された弾性壁部３５、３５’を含む。上記弾性壁部３５、３５’は、収容室１０に突き出し、かつ開口部１１の区域に配設される突起３６、３６’を有する。突起３６、３６’は、各々が、面取り面２７、２７’を有する。キャビティブロック９が、開口部１１に挿入される時、キャビティブロック９の係止爪３８が、弾性壁部３５を外側に反らす面取り面３７上に乗る。突起３６を通した後、弾性壁部３５は、跳ね返り、かつキャビティブロック９が、弾性壁部３５を手動により又は工具によって反らさずには、収容室１０から取り外すことのできないように、係止爪３８を保持する。
【００２７】
案内凹部３２は、キャビティブロック９内でキャビティ１７、１８に向かって開口する。キャビティブロック９が、案内ウェブ２８、２９の一方に摺動する時、それぞれの案内ウェブ２８、２９は、キャビティ１７、１８に突き出る。端子２３、２４は、案内凹部３２の区域に配設される係止凹部４０を備える。係止凹部４０は、端子２３、２４の挿入方向に対向する方向に面し、かつキャビティ１７、１８に突き出る案内ウェブ２８、２９に対して支持される係止面４１を画定する。案内ウェブ２８、２９は、それ故に端子２３、２４をキャビティブロック９内に保持するための二次係止機構の役目を果たす。
【００２８】
図５及び図６は、コネクタの第２の実施態様を例示する。第１の実施態様の要素と機能的に同一である要素には、同じ参照番号が与えられ、かつ第１の実施態様に関連して記載される。
【００２９】
第１の実施態様とは対照的に、第２の実施態様は、第１の実施態様において使用されるようなキャビティブロック９と同一である、２つのキャビティブロック９を有する四極コネクタである。２つのキャビティブロック９は、挿入方向Ｉに沿って一列で挿入される。それ故に、ハウジング３の第３側壁１５に１つの案内ウェブ２９を備えることが必要なだけである。
キャビティブロック９をハウジング３内に係止するために、ハウジングは、案内ウェブ２９に平行な、かつ隣接したスロット３９を有する。完全な第３側壁１５は、弾性であり、かつ面取り面３７を有するスロット３９に隣接した突起３６を備える。それ故に、突起３６を有する第３側壁１５の一部は、キャビティブロック９が収容室１０に挿入される時、反らされる。
【００３０】
ここで、上述した本発明のコネクタ１の特徴をそれぞれ以下（ｉ）〜（ｘｖｉ）に簡潔に纏めて列記する。
（ｉ）  ２本の撚り電線（７、８）を各々が含み、前記電線（７、８）の各々が、端子（２３、２４）に接続される複数のツイストペアケーブル（６）と、
前記複数のツイストペアケーブル（６）のうちの一つの前記端子（２３、２４）を収容する２つのキャビティ（１７、１８）を各々が有する、複数のキャビティブロック（９）と、
複数の前記キャビティブロック（９）を収容する収容室（１０）を有するハウジング（３）とを含むコネクタ（１）。
（ｉｉ）  前記ハウジング（３）が、可変数の同一キャビティブロック（９）を収容する大きさの異なる収容室（１０）を有するハウジング群から選択されることを特徴とする上記（ｉ）に記載のコネクタ（１）。
（ｉｉｉ）  前記キャビティブロック（９）が、前記コネクタ（１）を相手コネクタ（２）と嵌合する嵌合方向（Ｍ）に対して横断方向である挿入方向で前記収容室（１０）に挿入されることを特徴とする上記（ｉ）又は（ｉｉ）に記載のコネクタ（１）。
（ｉｖ）  前記キャビティブロック（９）が、前記ハウジング（３）の開口部（１１）を介して前記収容室（１０）に挿入されることを特徴とする上記（ｉ）から（ｉｉｉ）のいずれかに記載のコネクタ（１）。
（ｖ）  前記キャビティブロック（９）が、前記収容室（１０）内で互いに当接して並んで保持されることを特徴とする上記（ｉ）から（ｉｖ）のいずれかに記載のコネクタ（１）。
（ｖｉ）  前記ハウジング（３）が、前記キャビティブロック（９）を、前記収容室（１０）に挿入されている間に案内する案内手段（２８、２９）を含むことを特徴とする上記（ｉ）から（ｖ）のいずれかに記載のコネクタ（１）。
（ｖｉｉ）  前記案内手段が、前記ハウジング（３）の側壁（１３、１５）の内側に少なくとも１つの案内ウェブ（２８、２９）を含むことを特徴とする上記（ｖｉ）に記載のコネクタ（１）。
（ｖｉｉｉ）  前記案内手段は、各々が、前記ハウジングの側壁（１３、１５）の内側に配設される２つの案内ウェブ（２８、２９）を含むことを特徴とする上記（ｖｉｉ）に記載のコネクタ（１）。
（ｉｘ）  前記２つの案内ウェブ（２８、２９）が、互いに対向して配設されることを特徴とする上記（ｖｉｉｉ）に記載のコネクタ（１）。
（ｘ）  前記キャビティブロック（９）が、前記キャビティブロック（９）を前記少なくとも１つの案内ウェブ（２８、２９）上で摺動させる案内凹部（３２）を含むことを特徴とする上記（ｖｉｉ）から（ｉｘ）のいずれかに記載のコネクタ（１）。
（ｘｉ）  各案内ウェブ（２８、２９）が、アンダカット（３１）を画定し、かつ前記案内凹部（３２）が、前記キャビティブロック（９）を、前記案内ウェブ（２８、２９）上に、挿入方向（Ｉ）に摺動自在である間に係止する相補的アンダカット（３４）を備えて設計されることを特徴とする上記（ｘ）に記載のコネクタ（１）。
（ｘｉｉ）  前記案内ウェブ（２８、２９）が、前記端子（２３、２４）を前記キャビティブロック（９）内に係止することを特徴とする上記（ｖｉｉ）から（ｘｉ）のいずれかに記載のコネクタ（１）。
（ｘｉｉｉ）  前記ハウジング（３）が、前記キャビティブロック（９）を前記ハウジング（３）の収容室（１０）内に保持する保持手段（３６）を含むことを特徴とする上記（ｉ）から（ｘｉｉ）のいずれかに記載のコネクタ（１）。
（ｘｉｖ）  前記保持手段が、最後に挿入されたキャビティブロック（９）を前記収容室（１０）内に保持するために、前記キャビティブロック（９）に対して支持された突起（３６）を含むことを特徴とする上記（ｘｉｉｉ）に記載のコネクタ（１）。
（ｘｖ）  上記（ｉ）から（ｘｉｖ）のいずれかに記載のコネクタ（１）を組み立てる方法であって、
複数対の電線（７、８）を備えるステップと、
各電線を端子（２３、２４）に接続するステップと、
各対の電線（７、８）につき、１つのキャビティブロック（９）を備えるステップと、
各対の電線（７、８）の前記端子（２３、２４）を前記それぞれのキャビティブロック（９）に挿入し、かつその後にツイストペアケーブル（６）を形成する各対の電線（７、８）の前記電線（７、８）を撚るステップと、
各ツイストペアケーブル（６）の前記キャビティブロック（９）をハウジング（３）の収容室（１０）に挿入するステップとを含む方法。
（ｘｖｉ）  各対の電線（７、８）の前記電線（７、８）を撚るために、各キャビティブロック（９）を、前記電線（７、８）に対して回転させることを特徴とする上記（ｘｖ）に記載の方法。
【符号の説明】
【００３１】
１  コネクタ
２  相手コネクタ
３  ハウジング
４  容器
５  係止アーム
６  ツイストペアケーブル
７  電線
８  電線
９  キャビティブロック
１０  収容室
１１  開口部
１２  相手端子
１３  第１側壁
１４  第２側壁
１５  第３側壁
１６  底壁
１７  キャビティ
１８  キャビティ
１９  電線端部
２０  電線端部
２１  導体
２２  絶縁体
２３  端子
２４  端子
２５  圧着接続
２６  移行領域
２７  撚り領域
２８  第１案内ウェブ
２９  第２案内ウェブ
３０  フック部
３１  アンダカット
３２  案内凹部
３３  ショルダ
３４  アンダカット
３５、３５’  弾性壁部
３６、３６’  突起
３７、３７’  面取り面
３８  係止爪
３９、３９’  スロット
４０  係止凹部
４１  係止面
Ｉ  挿入方向
Ｌ  長手方向軸
Ｍ  嵌合方向
【図１】
0005970039.tif 000002
【図２】
0005970039.tif 000003
【図３】
0005970039.tif 000004
【図４】
0005970039.tif 000005
【図５】
0005970039.tif 000006
【図６】
0005970039.tif 000007